(57)【要約】【課題】乾燥手段の吸気口から容易に水が浸入しない構成にすることにより、安全性の高いトイレ装置を提供することを目的とする。【解決手段】便器５上に載置した本体６と、前記本体６に回動自在に枢着した便蓋７と便座８を備え、前記本体６は外装１１と外装１１の内部に乾燥手段１２を有し、前記乾燥手段１２はファン１３とヒータ１４と風路１５からなり、前記風路１５は下向きに開口した吸気口１６を備えることにより、外装１１内に浸入した水が容易に乾燥手段１２の吸気口１６から浸入することを防止することができる。【選択図】図２
2006322181.tif 000002
【特許請求の範囲】
【請求項１】
便器上に載置した本体と、前記本体に回動自在に枢着した便蓋と便座を備え、前記本体はベースとなる裏板と内部部品を覆うケースならなる外装と前記外装の内部に局部を乾燥する乾燥手段を有し、前記乾燥手段はファンとヒータと風路からなり、前記風路は下向きに開口する吸気口を備えたトイレ装置。
【請求項２】
ファンは、シロッコファンとした請求項１に記載のトイレ装置。
【請求項３】
吸気口と裏板との間に空間を設けた請求項１または２に記載のトイレ装置。
【請求項４】
風路の上流側にファンを配置し、下流側にヒータを配置した請求項１〜３のいずれか１項に記載のトイレ装置。
【請求項５】
風路は、水平部と傾斜部からなり、ヒータを前記傾斜部に設けた請求項４に記載のトイレ装置。
【請求項６】
風路の水平部と傾斜部との接続部において、傾斜部の下面が水平部の下面より低くなる段差を設けた請求項５に記載のトイレ装置。
【発明の詳細な説明】
【技術分野】
【０００１】
本発明は、乾燥機能を有するトイレ装置に関するものである。
【背景技術】
【０００２】
従来この種のトイレ装置は、ファンの後面の吸気口を鉛直面に対し傾斜している（例えば、特許文献１参照）。
【０００３】
図６は、前記公報に記載された従来のトイレ装置を示すものである。図６に示すように、乾燥手段がファン１とヒータ２とダクト３で構成され、ファン１は吸気口４を上向きで鉛直面に対し傾斜されている。
【特許文献１】特許第３２３７５５１号公報
【発明の開示】
【発明が解決しようとする課題】
【０００４】
しかしながら、前記従来の構成では、ファンの吸気口が上向きで鉛直面に対し傾斜されているので、水等がケースの孔から浸入するとファンモータ内に容易に浸入するという課題を有していた。
【０００５】
本発明は、前記従来の課題を解決するもので、ファンの吸気口から容易に水が浸入しない構成にすることを目的とする。
【課題を解決するための手段】
【０００６】
前記従来の課題を解決するために、本発明のトイレ装置は、便器上に載置した本体と、前記本体に回動自在に枢着した便蓋と便座を備え、前記本体は外装と外装の内部に乾燥手段を有し、前記乾燥手段はファンとヒータと風路からなり、前記風路は下向きに開口した吸気口を備えたものである。
【０００７】
これによって、ケースの孔から浸入した水等が容易にファンの吸気口から浸入することを防止することができる。
【発明の効果】
【０００８】
本発明のトイレ装置は、ケースの孔から浸入した水等が容易にファンの吸気口から浸入することを防止することができる。
【発明を実施するための最良の形態】
【０００９】
第１の発明は、便器上に載置した本体と、前記本体に回動自在に枢着した便蓋と便座を備え、前記本体はベースとなる裏板と内部部品を覆うケースからなる外装と前記外装の内部に局部を乾燥する乾燥手段を有し、前記乾燥手段はファンとヒータと風路からなり、前記風路は下向きに開口する吸気口を備えたことにより、吸気口は下向きに開口しているため、外装の開口部から浸入した水が直接風路の吸気口に掛からなくなり、ファンやヒータ等の充電部が浸水し漏電や腐食等が発生することを防止することができる。
【００１０】
第２の発明は、特に、第１の発明のファンを、シロッコファンとしたことにより、下向きの吸気口から吸引した空気をシロッコファンで略直角方向となる水平方向に風を送り出すこととなり、風路内に圧力損失を抑えることができる。
【００１１】
第３の発明は、特に、第１または第２の発明の吸気口と裏板との間に空間を設けたことにより、本体に設けた開口部から浸入した水が裏板上面に溜まっても、吸気口と空間距離を確保することが可能となり、ケースの孔から浸入した水等が裏板に溜まってもファンやヒータ等の充電部の浸水をより確実に防止することができる。
【００１２】
第４の発明は、特に、第１〜３のいずれか１つの発明において、風路の上流側にファンを配置し、下流側にヒータを配置したことにより、裏板に水等が溜まった状態でトイレ装置の向きを変更してもヒータの充電部に水が掛からなくなり、ヒータ短絡による断線等の故障を防止することができる。
【００１３】
第５の発明は、特に、第４の発明の風路は、水平部と傾斜部からなり、ヒータを前記傾斜部に設けたことにより、乾燥機能の運転後にヒータの熱がファンに伝わり、結露等によるファンの湿りを防止することができる。
【００１４】
第６の発明は、特に、第５の発明の風路の水平部と傾斜部との接続部において、傾斜部の下面が水平部の下面より低くなる段差を設けたことにより、洗浄水や汚水が風路内に浸入してヒータと風路間から毛細管現象で上昇しても段差を設けたことにより、それ以上の上昇がなくなり、ファンの内部への洗浄水や汚水の浸入を防止することができる。
【００１５】
以下、本発明の実施の形態について、図面を参照しながら説明する。なお、本実施の形態によって本発明が限定されるものではない。また、従来例と同一構成要素には、同一符号を付与する。
【００１６】
（実施の形態１）
図１は、本発明の第１の実施の形態におけるトイレ装置の斜視図を示し、図２はトイレ装置の要部断面図を示すものである。
【００１７】
図１に示すように、本発明のトイレ装置は便器５上に載置された本体６と、本体６に回動自在に枢着してなる便蓋７と便座８を備えている、本体６はベースとなる樹脂製の裏板９と内部部品を覆う樹脂製のケース１０を組み合わせて構成した外装１１と、外装１１の内部には局部を乾燥する乾燥手段１２を備えている。
【００１８】
図２に示すように、乾燥手段１２は下方から吸気し水平方向に送風するシロッコファン１３と温風を発生させるためのヒータ１４と風を導く樹脂製の風路１５からなり、前記風路１５は一方の端部には下方に向けて開口した吸気口１６有し、他端部には略水平方向に開口した送風口１７を備えている。風路１５の内部には上流側となる吸気口１６に対向してシロッコファン１３が設置してあり、下流となる送風口１７側にはヒータ１４が設置してある。
【００１９】
また、裏板９の前記吸気口１６に対向する位置には外装１１の内外を貫通する開口部１８が設けてある。
【００２０】
以上のように構成されたトイレ装置について、以下その動作、作用を説明する。
【００２１】
外装１１の開口部１８より導入した空気は、シロッコファン１３により吸気口１６より風路１５内に吸引し、シロッコファン１３で加速するとともに略直角方向に曲げてヒータ１４に送風し、ヒータ１４で昇温した温風を送風口１７より局部に向けて放出し局部を乾燥する。
【００２２】
以上のように、本実施の形態においては、吸気口を下向きに設けたことにより、外装内に浸入した水が直接風路の吸気口から浸入することがなく、ファンやヒータ等の充電部が浸水し漏電や腐食等が発生することを防止することができる。
【００２３】
なお、本実施の形態においては、風路内に圧力損失を抑えることができるのでシロッコファンを使用したが、これに限るものではなく、プロペラファンやクロスフローファン等の他の形態のファンも使用可能である。
【００２４】
（実施の形態２）
図３は、本発明の第２の実施の形態におけるトイレ装置の要部断面図である。
【００２５】
本実施の形態が実施の形態１と異なるところは、風路１９の吸気口２０と裏板９との間に空間２１を設けたところである。
【００２６】
なお、実施の形態１と同一符号のものは同一構造を有し、再度の説明は省略する。
【００２７】
上記構成とすることにより、外装１１内に浸入した水等が裏板９上に溜まってもファンの吸気口と空間距離を確保することが可能となり、ケースの孔から浸入した水等が裏板に溜まってもファンやヒータ等の充電部への浸水をより確実に防止することができる。
【００２８】
（実施の形態３）
図４は、本発明の第３の実施の形態におけるトイレ装置の要部断面図である。
【００２９】
本実施の形態が実施の形態１および２の構成と異なるところは、風路２２の形状が略水平な水平部２３と下流側に傾斜面である傾斜部２４からなり、水平部２３にシロッコファン１３を設置し、傾斜部２４にヒータ１４を設けたことである。
【００３０】
なお、実施の形態１、２と同一符号のものは同一構造を有し、再度の説明は省略する。
【００３１】
上記構成とすることにより、乾燥手段作動時はシロッコファン１３の作動によりヒータ１４で昇温した温風が送風口から放出されるが、乾燥手段の作動直後は、ヒータ１４の余熱が風路２２の傾斜部２４に沿って上方に伝わり、シロッコファン１３を暖めるため、シロッコファンに水分が結露し、充電部の漏電や損傷を防止することができる。
【００３２】
（実施の形態４）
図５は、本発明の第４の実施の形態におけるトイレ装置の要部断面図である。
【００３３】
本実施の形態が実施の形態３の構成と異なるところは、風路２５の水平部２６と傾斜部２７との接続部２８において、傾斜部２７の下面が水平部２６の下面より低くなる段差２９を設けたところである。
【００３４】
なお実施の形態３と同一符号のものは同一構造を有し、再度の説明は省略する。
上記構成とすることにより、洗浄水や汚水が風路２５内に浸入すると、ヒータ１４と風路２５間の隙間から毛細管現象で傾斜部２７を上昇し、段差２９に到達してもそれ以上の上昇を防止することができるので、シロッコファンの内部への洗浄水や汚水の浸入を防止することができる。
【産業上の利用可能性】
【００３５】
以上のように、本発明のトイレ装置は、乾燥手段の内部に水が浸入することを防止することができるので、食器乾燥機等の水回りで使用する機器の用途にも適用できる。
【図面の簡単な説明】
【００３６】
【図１】本発明の実施の形態１におけるトイレ装置の斜視図
【図２】本発明の実施の形態１におけるトイレ装置の要部断面図
【図３】本発明の実施の形態２におけるトイレ装置の要部断面図
【図４】本発明の実施の形態３におけるトイレ装置の要部断面図
【図５】本発明の実施の形態４におけるトイレ装置の要部断面図
【図６】従来のトイレ装置の要部断面図
【符号の説明】
【００３７】
５  便器
６  本体
７  便蓋
８  便座
９  裏板
１０  ケース
１１  外装
１２  乾燥手段
１３  シロッコファン（ファン）
１４  ヒータ
１５、１９、２２、２５  風路
１６、２０  吸気口
２１  空間
２３、２６  水平部
２４、２７  傾斜部
２８  接続部
２９  段差
【図１】
2006322181.tif 000003
【図３】
2006322181.tif 000004
【図４】
2006322181.tif 000005
【図６】
2006322181.tif 000006
【図２】
2006322181.tif 000007
【図５】
2006322181.tif 000008